(57)【要約】【課題】火災による防火扉の変形が生じても、容易に開扉しないこと。【解決手段】ケース部の縦長開口の縁に上下の突片状取付け部を有するトロカバーと、このトロカバーの突片状取付け部の前面に重なる上下の合せ部分及び縦長開口と連通する方形窓部を有し、固定手段を介してトロカバーの前面に固定されるストライクと、このストライクの方形窓部を基準としてトロカバーに収容され、非耐熱性の連結手段を介し該トロカバーに一体的に連結された鎌片用掛合部材とを備えた防火扉の鎌片用受け具であって、火災時、連結手段が火力により連結機能が喪失し、かつ鎌片用掛合部材に鎌片を介して開閉体の衝撃荷重がかかると、該鎌片用掛合部材は鎌片との係合状態を維持しながら突出する方向へ摺動する防火扉の鎌片用受け具。【選択図】図１
2015209675.tif 000002
【特許請求の範囲】
【請求項１】
ケース部の縦長開口の縁に上下の突片状取付け部を有するトロカバーと、このトロカバーの前記突片状取付け部の前面に重なる上下の合せ部分及び前記縦長開口と連通する方形窓部を有し、固定手段を介して前記トロカバーの前面に固定されるストライクと、このストライクの前記方形窓部を基準として前記トロカバーに収容され、非耐熱性の連結手段を介し該トロカバーに一体的に連結された鎌片用掛合部材とを備えた防火扉の鎌片用受け具であって、火災時、前記連結手段が火力により連結機能が喪失し、かつ前記鎌片用掛合部材に前記防火扉の錠前の鎌片を介して開閉体の衝撃荷重がかかると、該鎌片用掛合部材は前記鎌片との係合状態を維持しながら突出する方向へ摺動することを特徴とする防火扉の鎌片用受け具。
【請求項２】
請求項１に於いて、鎌片用掛合部材は、トロカバーの対向側壁部に設けた摺動部と、該摺動部と摺接するように鎌片用掛合部材の対向側壁部に設けた摺接部からなる水平保持手段を介してストライクの方形窓部から所定の範囲内で突出することを特徴とする防火扉の鎌片用受け具。
【請求項３】
請求項２に於いて、トロカバーの摺動部は、上下一対の突起又は水平支持柱のいずれかであり、一方、鎌片用掛合部材の摺接部は、水平突条又は水平長孔のいずれかであることを特徴とする防火扉の鎌片用受け具。
【請求項４】
請求項１に於いて、非耐熱性の連結手段は、溶解或いは熱変形する或いはまた燃焼するいずれかの樹脂製部材であることを特徴とする防火扉の鎌片用受け具。
【請求項５】
請求項１に於いて、鎌片用掛合部材は、内側枠状体と、該内側枠状体の外壁面にその内壁面が接合する外側枠状体の二重構造体であることを特徴とする防火扉の鎌片用受け具。
【請求項６】
請求項１に於いて、トロカバーのケース部内に固定的に位置するように磁性体が内装されていることを特徴とする防火扉の鎌片用受け具。  
【発明の詳細な説明】
【技術分野】
【０００１】
本発明は、火災の際、延焼防止、防煙等の目的で、扉枠側に配設される受け具に着目して出現した防火扉の鎌片用受け具に関し、特に、火災時、建物の開口部を閉じる防火扉の錠前の鎌片が扉枠側の受け具から容易に外れない防火扉の鎌片用受け具に関する。
【背景技術】
【０００２】
特許文献１は、火災の際、延焼防止、防煙等の目的で、防火扉の自由端部側に配設される錠前である。この錠前は常態では錠杆が錠箱内に入り込み、該錠杆はバネ部材で、常時、フロントから突出する方向に付勢されているものの、扉の内外の壁面に取付け座の如く配設された内外の錠杆用回転阻止部材（３０Ａ、３０Ｂ）により、錠杆の飛び出しが規制されている。そして、火災時、前記内外の錠杆用回転阻止部材の係止腕状の回転阻止部（３３ａ）が溶融又は熱変形した場合には、扉が反る前に錠杆がバネ部材のバネ力により、受け具の受穴に係入するように構成されている。したがって、特許文献１の防火扉用錠前は、簡単な構成により、錠杆が受け具側に作動して防火扉が開くのを防止できるという利点がある。
【０００３】
しかしながら、特許文献１の防火扉用錠前は、錠前乃至扉側に溶融又は熱変形する内外の錠杆用回転阻止部材（３０Ａ、３０Ｂ）を配設するものであり、受け具に工夫を施したものではない。また特許文献１の防火扉用錠前は、扉の壁面に係止腕状回転阻止部（３３ａ）用の凹所３６や錠前の錠箱に内装したハブに嵌入する連結棒部（３２ａ）用の貫通孔を形成しなければならないために、外観上、施工上等の理由から検討すべき課題が存在する。そこで、現在、特許文献１と同様の目的を達成するために、受け具側に工夫することが期待されている(符号は特許文献１のもの)。
【先行技術文献】
【特許文献】
【０００４】
【特許文献１】特開平８−３１２２７号公報
【発明の概要】
【発明が解決しようとする課題】
【０００５】
本発明の主たる目的は、受け具に工夫を施し、火災による防火扉の変形が生じても、容易に開扉しないようにすることである。すなわち、火災時、建物の開口部を閉じる防火扉が、火力、反り等により、防火扉の自由端部に設けた錠前の鎌片が防火扉から荷重を受けても、鎌片が扉枠側の受け具のストライクから外れ、その結果、防火扉が開放しないことである。本発明の第２の目的は、防火扉が火力によって反っても、鎌片用掛合部材が安定的に摺動することにより、錠前の鎌片が容易に外れないことである。本発明の第３の目的は、火災時、非耐熱性の連結手段は、火力により容易に溶けること、部品点数が少ないことなどである。
【課題を解決するための手段】
【０００６】
本発明の防火扉の鎌片用受け具は、ケース部の縦長開口の縁に上下の突片状取付け部を有するトロカバーと、このトロカバーの前記突片状取付け部の前面に重なる上下の合せ部分及び前記縦長開口と連通する方形窓部を有し、固定手段を介して前記トロカバーの前面に固定されるストライクと、このストライクの前記方形窓部を基準として前記トロカバーに収容され、非耐熱性の連結手段を介し該トロカバーに一体的に連結された鎌片用掛合部材とを備えた防火扉の鎌片用受け具であって、火災時、前記連結手段が火力により連結機能が喪失し、かつ前記鎌片用掛合部材に前記防火扉の錠前の鎌片を介して開閉体の衝撃荷重がかかると、該鎌片用掛合部材は前記鎌片との係合状態を維持しながら突出する方向へ摺動することを特徴とする    
【発明の効果】
【０００７】
（ａ）請求項１に記載の発明は、火災時、建物の開口部を閉じる防火扉が変形しても、防火扉の自由端部に設けた錠前の鎌片が扉枠側の受け具のストライクから外れ、それにより防火扉が開放しない。  
（ｂ）請求項２に記載の発明は、鎌片用掛合部材は、トロカバーの対向側壁部に設けた摺動部と、該摺動部と摺接するように鎌片用掛合部材の対向側壁部に設けた摺接部からなる水平保持手段を介してストライクの方形窓部から突出するので、所定範囲内で安定状態に摺動する。また鎌片用枠状掛合部材の下方に空間を設定することができるので、例えば磁性体を配設することができる。
（ｃ）請求項３に記載の発明は、トロカバーの摺動部は、上下一対の突起又は水平支持柱のいずれかであり、一方、掛合部材の摺接部は、前記水平支持柱を支持する水平突条又は水平長孔のいずれかであるから、前記（ｂ）の効果を得ることができる。
（ｄ）請求項４に記載の発明は、非耐熱性の連結手段は、溶解する複数の樹脂製部材であるから、火災の際に、その火力により、金属に比して容易に溶けやすい。
（ｅ）請求項５に記載の発明は、鎌片用掛合部材は、内側枠状体と、該内側枠状体の外壁面にその内壁面が接合する外側枠状体の二重構造体なので、強靭である。
（ｆ）請求項６に記載の発明は、トロカバーのケース部内に固定的に位置するように磁性体が内装されているので、開閉体の錠前に前記磁性体の極性に対応して位置変位するトリガー手段を配設することが可能である。
【図面の簡単な説明】
【０００８】
図１乃至図１５は本発明の第１実施形態を示す各説明図、図１６及び図１７は本発明の第２実施形態を示す各説明図。
【図１】開閉体を閉じた状態における常態時の鎌片と受け具との掛合状態を示す環境説明図。
【図２】図１の２−２線概略断面説明図。
【図３】受け具の正面図。
【図４】図３の４−４線断面図。
【図５】図３の５−５線断面図。
【図６】ストライク（基板）の正面視からの説明図。
【図７】図６の７−７線断面図。
【図８】図６を基準とする右側面図。
【図９】トロカバーの正面視からの説明図。
【図１０】トロカバーの右側面図。
【図１１】図１０の１１−１１線断面図。
【図１２】鎌片用掛合部材の構造を示す説明図。
【図１３】連結手段の説明図。
【図１４】連結手段が解けた説明図。
【図１５】本発明の作用を示す説明図（鎌片用掛合部材の突出例）。
【図１６】第２実施形態の図５と同様の説明図。
【図１７】鎌片用掛合部材の斜視図。
【発明を実施するための最良の形態】
【０００９】
（１）環境部材
図１乃至図１５は、本発明の第１実施形態の防火扉の鎌片用受け具Ｘ（以下、「受け具」という）である。まず図１は、開閉体を閉じた状態における常態時の鎌片４と受け具Ｘとの掛合状態を示す環境説明図、図２は図１の２−２線概略断面説明図である。これらの図に於いて、１は引戸式又は回転式の開閉体（例えば回転式扉）で、この開閉体１の自由端部（戸先）１ａの開口部には、仮想線で示す錠前２が収容されている。３は錠前２を構成する錠箱のフロント（面座）２ａから出没する進退動部材で、この進退動部材３は、図示しない案内手段を介して水平方向にスライドする。４は先端部３ａが略Ｕ字形状の前記進退動部材３に中央部が嵌入し、その基端部４ａが錠箱のフロント付近の内側近傍に設けられた固定軸５に軸支され、前記中央部に連設する先端部が鉤状に形成されたフック部４ｂを有するフックプレート（ここでは、以下「鎌片」という）である。鎌片４のフック部４ｂは、実施形態では上向きであるが、下向きであっても良い。鎌片４は進退動部材３の先端部３ａに設けた連動手段（やや弧状長孔と作動ピン）６を介して連動する。
【００１０】
付言すると、図１及び図２で示すように、開閉体１の閉扉時、進退動部材３の先端部３ａが受け具Ｘに対して、ストライク２１の方形窓部２２、鎌片用掛合部材３１の受入れ開口３３を介して入り込むと、進退動部材３に連動する鎌片４は、固定軸５を支点に掛合方向（例えば反時計方向）に所定量回動して、そのフック部４ｂは、鎌片用掛合部材の二重構造の掛合部分３２（受面３２ａ）に掛止め可能な状態と成る。
【００１１】
したがって、実施形態の受け具Ｘは、開閉体１の自由端部（戸先）１ａの端面と対向する建物の開口部の扉枠を構成する縦枠７の切欠状の窪み８に、いわば掘り込み式に、「トロカバー１１」と称されるケース型部材が固定的に嵌め込まれる。そして、このトロカバー１１の前面に「ストライク２１」と称される縦長状の基板が複数の固定手段（例えば固着具）９を介して一体的に固定される。
【００１２】
実施形態では、ストライク２１の方形窓部２２を基準として、本発明の要部である「鎌片用掛合部材３１」の略全体が、トロカバー１１に収容されている（物理的に若干方形窓部２２から突出しても良い）。そして、火災時、所定の条件を満たすと、該鎌片用掛合部材３１は、開閉体１の自由端部（戸先）１ａの端面側に摺動可能である。なお、図１に於いて、符号１０はレバー型のトリガー手段で、該トリガー手段１０の上端部は固定軸１０ｂに軸支され、その下端部には、トロカバー１１のケース部内に固定的に位置する磁性体４１の極性に対応して反発する可動磁性体１０ａが一体的に設けられている。錠前やトリガー手段１０は、本発明の特定要件ではない。
【００１３】
（２）実施形態の主要部
図３は受け具の正面図、図４は図３の４−４線断面図、図５は図３の５−５線断面図で、これらの図面に実施形態の主要部が記載されている。
【００１４】
この受け具Ｘは、ケース部１３の縦長開口１４の上下縁に上下一対の突片状取付け部１５を有するトロカバー１１と、このトロカバーの前記突片状取付け部１５の前面に重なる上下の合せ部分２３，２４及び前記縦長開口１４と連通する方形窓部２２を有し、複数の固定手段９を介して前記トロカバー１１の前面に固定される縦長板状のストライク２１と、このストライクの前記方形窓部２２を基準として前記トロカバー１１に全体が略収容され、非耐熱性の複数個の樹脂製連結手段３９を介して該トロカバー１１に一体的に連結された枠状の鎌片用掛合部材３１を備えている。そして、火災時、前記連結手段３９が熱により解け（例えば熱変形、溶断、溶解、燃焼等連結機能が喪失した状態）、かつ前記鎌片用掛合部材３１の中央部の一部を形成する前面部３２の裏面３２ａ（鎌片４のフック部４ｂが当たる掛合部分の受面）に鎌片４を介して開閉体１の衝撃荷重がかかると、該鎌片用掛合部材３１は前記トロカバー１１に水平保持手段１２に案内されながら前記ストライク２１の方形窓部２２から鎌片４との係合状態を維持しながら突出する方向へ摺動する。
【００１５】
（３）主要部に従属する事項
上記構成に於いて、水平保持手段１２は、図３乃至図５で示すように、トロカバー１１の対向側壁部１３ａに設けた摺動部１２ａと、該摺動部と水平方向に摺接するように鎌片用掛合部材３１の対向側壁部３４にそれぞれ設けた摺接部１２ｂから成る。実施形態では、望ましくは、トロカバーの摺動部１２ａは、上下一対の突起又は水平支持柱のいずれかであり、一方、鎌片用掛合部材３１の摺接部１２ｂは、前記摺動部１２ａを支持する水平突条又は水平長孔（実施形態）のいずれかである。
【００１６】
また、非耐熱性の連結手段３９は、溶断又は溶解のいずれかの樹脂製部材（実施形態では樹脂ネジ）である。さらに、鎌片用掛合部材３１は、内側枠状体３１Ａと、該内側枠状体の外壁面にその内壁面が接合する外側枠状体３１Ｂの二重構造体である。加えて、トロカバー１１のケース部１３内に固定的に位置するように磁性体４１が内装されている。
【００１７】
（４）各部材の具体的な説明
以下、図６、図７、図８等を参照にして各部材の具体的な構成の説明をする。まず図７乃至図８は、ストライク２１の各説明図である。例えば平面視からの説明図である図７を基準にすると、ストライク２１は耐火性の金属板で、その外周は縦長長方形状に形成されている。２２は上端部の合せ部分２３から下端部の合せ部分２４まで形成された方形窓部で、この方形窓部２２は、左右に幅広くかつ縦長の比較的大きい開口２２ａと、この縦長開口２２ａに連通する左右に幅狭の比較的小さい開口２２ｂとから成る。
【００１８】
しかして、前記上下端部の合せ部分２３、２４には、固着具９用の取付け孔２５、２５がそれぞれ形成されている。さらに、前記小さい開口２２ｂの一辺縁部分には、内側に略９０度折り曲げ形成して出来た突片２６が設けられ、該突片２６の内面には、図１の仮想線で示した磁性体４１が取付け孔２６ａ及びビス２７を介して固定されている。
したがって、縦長板状のストライク２１は、トロカバー１１の突片状取付け部１５の前面に重なる上下の合せ部分２３、２４及び複数の固定手段９、９を介して前記トロカバー１１の前面に固定される。
【００１９】
次に、図９乃至図１１は縦長開口１３を有するトロカバー１１の各説明図である。図９はトロカバー１１の正面視からの説明図である。この図９を基準にすると、トロカバー１１の形態は、普通一般のトロカバーと同様に縦長状のケース部１３と、ケース部の縦長開口１４の上下縁から上下方向に延在する上下一対の突片状取付け部１５を有し、前記突片状取付け部１５には、ストライク２１の取付け孔２５と符合する透孔１６が形成されている。
【００２０】
しかして、実施形態のトロカバー１１は、ケース部１３の左右の側壁１３ａ、１３ａ、垂直奥壁１３ｂ及び上下の水平壁１３ｃで縦長開口１４に形成された、該縦長開口１４の左右縁１４ａ、１４ａ付近、或いはこれらの左右縁寄りの部位に、水平支持手段１２を構成する支持柱１２ａを横設軸架するための複数の支持孔１７、１７が上下の適宜部位にそれぞれ形成されている。
【００２１】
また、前記支持孔１７よりも後方で、ケース部１３の垂直奥壁１３ｂと左右縁１４ａ、１４ａの間に相当する略中央部に後述の非耐熱性の複数個の連結手段３９が固定的に入り込む第１連結孔（例えば皿ネジ孔）１８が上下の適宜部位にそれぞれ形成されている。なお、前記第１連結孔１８は、連結手段３９を介してケース部１３と枠状或いはケース状の鎌片用掛合部材３１とを一体的に結合することができるならば、その数や形成箇所は特に限定するものではない。
【００２２】
次に、図１及び図１２を参照にして、鎌片用掛合部材３１の構成を説明する。鎌片用掛合部材３１は、実施形態では、内側枠状体３１Ａと、該内側枠状体の外壁面にその内壁面が接合する外側枠状体３１Ｂの二重構造体であり、平面視、逆コ字形状に折り曲げ形成されている。前述したように、鎌片用掛合部材３１は、例えば上部側に前面部３２を有する中央部と、該中央部に略直交状態に連設する左右の対向側壁部３４とを有し、前記中央部に縦長状の受入れ開口３３が形成されている。また前記対向側壁部３４には、支持柱１２ａと共に水平支持手段１２を構成する水平長孔１２ｂが上下部位に一対形成され、さらに、樹脂製連結手段（樹脂ネジ）３９用の第２連結孔（ネジ孔）３５が形成されている。
前述したように、鎌片用掛合部材３１は、ストライク２１の方形窓部２２を基準としてトロカバー１１に全体が略収容され、非耐熱性の連結手段３９及び該連結手段が固定的に入り込む内外の連結孔１８、３５を介し該トロカバー１１に一体的に連結される。
【実施例】
【００２３】
次に、図１６及び図１７を参照にして、本発明の第２実施形態を説明する。なお、第２実施形態の説明に当って、第１実施形態と同一の部分には同一の符号を付して重複する説明を割愛する。
【００２４】
この第２実施形態が第１実施形態と主に異なる点は、鎌片用掛合部材３１の形状と、連結手段３９及び該連結手段が固定的に入り込む内外の連結孔１８、３５の位置である。この第２実施形態の鎌片用掛合部材３１は、平面視矩形形状に形成され、少なくしもその背面壁３６に複数の第２連結孔（ネジ孔）３５が形成され、これらの第２連結孔３５に符合する第１連結孔１８を有するトロカバー１１のケース部１３が、複数の樹脂製連結手段（樹脂ネジ）３２により一体的に連結されている。このように構成しても第１実施形態と同様の作用・効果がある。
【産業上の利用可能性】
【００２５】
本発明は工場等の防火扉用の受け具として用いることができる。
【符号の説明】
【００２６】
Ｘ…鎌片用受け具、
１…開閉体、１ａ…自由端部、
２…錠前、３…進退動部材、
４…鎌片、５…固定軸、６…連動手段、
７…縦枠、９…固定手段、
１１…トロカバー、
１２…水平保持手段、
１３…ケース部、１４…縦長開口、
１５…突片状取付け部、
１６…透孔、１７…支持孔、
１８…第１連結孔、
２１…ストライク、２２…方形窓部、
２３、２４…上下の合せ部分、
３１…鎌片用掛合部材、
３２…前面部、３３…受入れ開口、
３４…対向側壁、
３５…第２連結孔、
３６…背面壁、
３９…非耐熱性連結手段、
４１…磁性体。
【図１】
2015209675.tif 000003
【図２】
2015209675.tif 000004
【図３】
2015209675.tif 000005
【図４】
2015209675.tif 000006
【図５】
2015209675.tif 000007
【図６】
2015209675.tif 000008
【図７】
2015209675.tif 000009
【図８】
2015209675.tif 000010
【図９】
2015209675.tif 000011
【図１０】
2015209675.tif 000012
【図１１】
2015209675.tif 000013
【図１２】
2015209675.tif 000014
【図１３】
2015209675.tif 000015
【図１４】
2015209675.tif 000016
【図１５】
2015209675.tif 000017
【図１６】
2015209675.tif 000018
【図１７】
2015209675.tif 000019